(57)【要約】      （修正有）【課題】一工程で圃場を攪土、砕土混和、均平鎮圧できる複合耕耘装置を提供する。【解決手段】トラクタにクロスシャフト１２で前端部を着脱自在に連結する方形フレーム２の前端部下方を横断し、前進方向と直交にカルチベータ１７を高低調節可能に設け、このカルチベータの後方に、前記方形フレーム２を横断し順次前部ディスクハロー１８および後部ディスクハロー１９を配設する。前、後部のディスクハロー１８、１９は、各ディスク５０、５１を個々にディスク軸受１４６に軸支する。方形フレーム２の左右後半部にプレート２７、２８を左右対向に立設し、方形フレーム２の後端部の左右に上下動制限板３０、３１を左右対向に立設する。へ字形アーム３３、３４の先端部を前記プレート２７、２８に枢着し、前半直線部を上下動制限板３０、３１に挿通し、後半の斜め下向き部を後方に延設し、その端末部にケージローラ２０を左右対称に横設する。【選択図】図２
0003129872.tif 000002
【実用新案登録請求の範囲】
【請求項１】
左右の前端部に突設した連結ブラケットをトラクタの油圧三点リンクヒッチに着脱自在に連結する方形フレームと、この方形フレームの前部下方に前進方向に対し直交かつ高低調節可能に配設したカルチベータと、このカルチベータの後方に順次後方に前記方形フレームの中間部を横断し、前進方向に対し直交および斜設可能に配設した前部および後部のディスクハローと、前記方形フレームの両側中間部に左右対向に立設したプレートの間に前端部を枢着し、前半直線部が前記方形フレームの後端部両側にそれぞれ左右対向に立設した上下動制限板の間を挿通し、後方に突設する左右のヘ字形アームと、このヘ字形アームの上下面と間隙をおいて前記左右の上下動制限板を貫通に横断する上下のピンと、前記左右のヘ字形アームの後端末部に取り付け、前進方向に対し直交かつ水平に横設する前記後部ディスクハローより広幅に形成したケージローラとを備えた複合耕耘装置。
【請求項２】
前記方形フレ−ムが、左右に併設した左縦桁と右縦桁の前端部に、それぞれ前端連結ブラケットを前方に突設し、左縦桁及び右縦桁の外側面の中間部と後半部に、それぞれ前方左ブラケットと後方左ブラケットおよび前方右ブラケットと後方右ブラケットを水平に突設するとともに、左右の前方および後方のブラケットの横方向中心線をそれぞれ横一線上に揃え、前部上面中央部に前方斜め上方に突設したマストフレームと、左右の縦桁の中間部にそれぞれ左右対向に立設した前記へ字形アームの前端部を枢着するプレートと、後端部の両側に左右対向に立設した上下動制限板を備えたものである請求項１記載の複合耕耘装置。
【請求項３】
前記カルチベータが、前記方形フレームの前部両外側に、それぞれ垂直に固着するとともに左右対向に設けた角筒に下方から角柱を上下摺動自在に挿通し、前記角筒と角柱に複数の高低調節ピンを連通し、前記角柱の下端面に上面を連結する中空角形鋼で棒状に形成したカルチベータフレームを、前記方形フレームにその縦方向中心線に対し左右対称に設け、このフレームに中耕爪を下端部に取付けた複数のカルチベータ支杆を等間隔に垂下し、各カルチベータ支杆の前方に前進方向に沿って回転円板コールタを設けたものである請求項１記載の複合耕耘装置。  
【請求項４】
前記左右の前端連結ブラケットが、油圧三点リンクの下部リンク端末部のボール連結部をその間に挿入する外側及び内側ブラケットを左右対向に併設し、前記下部リンク端末部のボール連結部にその両端部を連結したクロスシャフトを、前記内、外側のブラケットに刻設したクロスシャフト連結溝穴に着脱可能に連結するものである請求項１記載の複合耕耘装置。
【請求項５】
前記クロスシャフトが、パイプ中間軸の左右両端部にそれぞれ突設した大径部と、この大径部の先端部に段部を介し小径にしたロワーリンク連結軸と、前記大径部に垂直にその中心部を外嵌固着し、前記左右の前端連結ブラケットの外側ブラケットに摺接する突弧状ガイドと、前記左右のロワーリンク連結軸の外端部に着脱可能に外嵌する前記大径部と同径のパイプ軸とを備えた請求項４記載の複合耕耘装置。
【請求項６】
前記クロスシャフト連結溝穴が、閉塞上端部と開放下端部を備え、前記前端連結ブラケットの内側ブラケットにクロスシャフトの大径部が挿入し、前記前端連結ブラケットの外側ブラケットにクロスシャフト外端のパイプ軸がそれぞれ挿入する溝穴に、前記左右の前端連結ブラケットの前端部に上下方向に同形に刻設するとともに、前記開放下端部を下部前方拡開部と下部後方拡開部に形成したものである請求項４記載の複合耕耘装置。
【請求項７】
前記左右の前端連結ブラケットが、前方突出三角形アームの下方に連接に形成する下向き連接部の下部を前方突出の凹弧状アームに形成したクロスシャフト保持片を、前記クロスシャフト連結溝穴の中間部後方で、前記左右の外側ブラケットに先端部を螺着したボルト軸周りに回動自在に取付けるとともに、前記クロスシャフト保持片を前記外側ブラケットに押圧する圧縮コイルスプリングを前記ボルト軸に外嵌し、クロスシャフト保持片の左周り回転により凹弧状アームがクロスシャフト連結溝穴の開放下端部に位置したとき、前記三角形アームに設けた保持片固定孔に前記外側ブラケットに突設した保持片固定突起が嵌入するものに構成した請求項１又は４記載の複合耕耘装置。
【請求項８】
前記前部ディスクハローが、中空角形鋼で長方形棒状に形成したディスクハローフレームを、前記方形フレームの中間部を横断し、前進方向と直交に前記左縦桁の前方左ブラケットと、右縦桁の前方右ブラケットとに取付け、このディスクハローフレームの下面にディスク取付け板をディスクの配設ピッチ間隔に当接し、ディスクハローフレームに上方から外嵌するＵ形クランプボルトを前記ディスク取付け板の前後縁部に貫通させナットで固定し、この各ディスク取付板の中央部下面に上端を固着するとともに、前進方向に対し側面を左向きにして垂下する長方形支柱の下端部に、前記長方形支柱の左側面と直交に設ける軸受にディスクを軸支し、前記ディスクハローフレームに適当数のスクレーパバー取付板を取付け、その後端部に前記ディスクハローフレームと平行に取付けたスクレーパバーに、先端がディスク凹面の後半部中央に当接するスクレーパを取付けているものである請求項１記載の複合耕耘装置。、
【請求項９】
前記後部ディスクハローが、中空角形鋼で長方形棒状に形成したディスクハローフレームを、前記方形フレームを横断し、前進方向と直交に前記左縦桁の後方左ブラケットと、右縦桁の後方右ブラケットとに取付け、このディスクハローフレームの下面にディスク取付板をディスクの配設ピッチ間隔に当接し、ディスクハローフレームに上方から外嵌するＵ形クランプボルトを前記ディスク取付け板の前後縁部に貫通させナットで固定し、この各ディスク取付板の中央部下面に上端を固着するとともに、前進方向に対し側面を左向きにして垂下する長方形支柱の下端部に、前記長方形支柱の
の右側面の外向きにして垂下する長方形支柱の下端部に、長方形支柱の右側面と直交に設ける軸受にディスクを軸支し、前記フレームに適当数のスクレーパバー取付板を取付け、その後端部に前記ディスクハローフレームと平行に取付けたスクレーパバーに、先端部がディスク凹面の後半部中央に当接するスクレーパを取付けているものである請求項１記載の複合耕耘装置。、
【請求項１０】
前記方形フレームが、左右外側面にそれぞれ水平に突設した前記左右の前方および後方ブラケットと同じ位置において、左右の縦桁の内側面に突設するブラケットを前後に併設し、前部および後部のディスクハローのフレームを一時保持するＵ形枠金の上端部を、前記前後のブラケットに取付けた前部および後部のディスクハロー一時保持枠を設けたものである請求項１記載の複合耕耘装置。
【考案の詳細な説明】
【技術分野】
【０００１】
本考案は、トラクタの油圧三点リンクヒッチに連結し、一工程で攪土、砕土、均平鎮圧を行い、播種床を形成することができる複合耕耘装置に関するものである。
【背景技術】
【０００２】
複合耕耘装置は、各種関連作業機を組み合わせて一体にし、何回もトラクタを圃場に入れることなく播種床を形成するものであり、従来から多くの提案がある。例えば、特開２００３−２２５００３号公報には、図２２、図２３に示す直装形複合作業機が開示されている。すなわち、方形フレーム２Ａを、トラクタの油圧三点リンクヒッチに連結する左右の連結ブラケット９Ａ、１０Ａを前端部に備えたものに形成し、この方形フレーム２Ａの前端部下方を横断し、前部ディスクハロー３Ａを前進方向に対し横設している。              
【０００３】
さらに、方形フレーム２Ａの中間部を横断し、前記前部ディスクハロー２Ａの後方にカルチベータ４Ａを横設し、その後方に後部ディスクハロー５Ａを横設している。
また、方形フレーム２Ａの後半部の左右に立設したヒンジ６Ａに前端部を枢着したＬ形アーム７Ａを、方形フレーム２Ａの後端部に左右対向に立設した上下動制限枠１２Ａを挿通し、後部ディスクハロー５Ａの後方に突出する後端末部にケージローラ８Ａを横設している。図２２における１１Ａは、トラクタの油圧三点リンクヒッチのロワーリンクに連結するヒッチピンである。  
【０００４】
前部ディスクハロー３Ａおよび後部ディスクハロー５Ａは、それぞれアーバーボルト１３Ａおよび１４Ａでディスクを串刺しに所定ピッチ間隔で配設している。図２３における、Ｔはトラクタ、ＴＬはトップリンク、ＬＬはロワーリンクの例示である。
【０００５】
上述の複合作業機は、前部のディスクハローで土壌の砕土と混和を行い、カルチベータで攪土し、さらに後部ディスクハローで砕土と混和を行い、ケージローラで均平、鎮圧を行い、一工程で播種床を形成することができるものである。
【特許文献１】特開２００３−２２５００３号公報
【考案の開示】
【考案が解決しようとする課題】
【０００６】
前記特許公開公報の複合作業機におけるカルチベータは、スプリングタインの先端部に中耕爪を装着した攪土深が比較的浅いものである。本考案が解決しようとする課題は、圃場における水分浸透を良好にするために、攪土深を深くできるカルチベータタインの先端部に中耕爪を装着したカルチベータを、高低調節可能に設けることである。また、耕耘深を大きくすることに伴うけん引抵抗の増大を押える手段を講ずることも解決しようとする課題である。       
【０００７】
従来のディスクハローは、複数のディスクをアーバーボルトで串刺しに配列し、各ディスクの間隔を、アーバーボルトに外嵌するディスクスプールやベアリングスプールで保持している。ディスクスプールやベアリングスプールは、ディスク間のスペースを広くし土壌の混和を良好にするには、障害になるものである。したがって、本考案では、ディスクをアーバーボルト、ディスクスプールやべヤリングスプールを用いないで配設し、土壌の砕土と混和を良好にすることを解決しようとする課題である。    
【０００８】
前述のアーバーボルトを用いないことにより、従来のディスクハローにおけるギャングに代わるディスク配列の手段を提供することも、解決しようとする課題である。
【０００９】
また、作業機をトラクタの油圧三点リンクヒッチのロワーリンクに連結するには、作業機側に設けたヒッチピンをロワーリンクの端末に着脱自在に連結するのが一般的である。しかし、この方式では、トラクタを作業機の前方に後退させ、ロワーリンクをヒッチピンに位置合わせすることが、簡単でないことが経験されていた。そこで、作業機にロワーリンクを連結するヒッチピンに代わる連結手段を提供し、複合耕耘装置をトラクタに容易に連結できるようにすることも、解決しようとする課題である。
【００１０】
ディスクハローに関しては、前述したようにアーバーボルトを用いずにディスクを装着することに伴い、ギャングを構成しないでディスクを取付けるディスクハローフレームの構造、このフレームを方形フレ−ムに容易に取付ける手段を求めることが解決しようとする課題である。
【課題を解決するための手段】
【００１１】
本考案の複合耕耘装置は、トラクタの油圧三点リンクヒッチに連結する方形フレームに、
カルチベータ、前、後部のディスクハローおよびケージローラを、前方から順次後方に配設した。カルチベータには、攪土深を大きくできる強度の大きなカルチベータ支杆の下端部に中耕爪を取付けたものに形成した。そして、前記方形フレ−ムの前端部下方に高低調節可能に形成するとともに、前進方向に対し直交に配設した。
【００１２】
上記の方形フレ−ムは、中空角形鋼で左右の縦桁、前部横桁、中間部横桁、後部横桁で方形に構成するとともに、左右の横桁の前端部には、油圧三点リンクヒッチのロワーリンクに連結する連結ブラケットを突設したものに形成した。また、前端連結ブラケットを、外側ブラケットと内側ブラケットを併設し、両者の間にロワーリンク端末の連結ボールが挿入できるようにした。
【００１３】
前、後部のディスクハローは、ディスクハローフレームを中空角形鋼で長方形棒状に形成し、このディスクハローフレームの下面に当接させディスクの配設ピッチにディスク取付板を取付けた。そして、このディスク取付け板の下面中央から同長の長方形支杆を垂下に設けるとともに、各支杆を左右に併設し、各支杆の下端部に支杆と直交に軸受けを設け、各軸受けにそれぞれディスクを軸支した。すなわち、アーバーボルトを用いない構成にしたものである。
【００１４】
ディスクハローの方形フレ−ムへの取付けを容易にするために、方形フレ−ムの左右縦桁の外側面に前方ブラケットおよび後方ブラケットを水平に突設し、このブラケットにディスクハローのフレームを取付けるようにした。また、ディスクハローのフレームを方形フレ−ムに取付け角度を変えて取付ける際に、取付を容易にするために、方形フレ−ムの左右縦桁の内側面にフレーム一時保持枠を設けた。  
【００１５】
トラクタの油圧三点リンクヒッチのロワーリンクに連結するヒッチピンを設けずに、複合耕耘装置をロワーリンクに連結する手段として、クロスシャフトをロワーリンクに連結しておき、このクロスシャフトを方形フレ−ムの前端連結ブラケットに刻設したクロスシャフト連結溝穴に下方から挿入し、クロスシャフトを前記連結溝穴に解除可能に保持するようにした。  
【００１６】
カルチベータに関しては、前記カルチベータ支杆の前方に前進方向に沿って回転円板コールタを設け、これによって土壌を切断し、カルチベータ支杆にかかるけん引抵抗を減少するようにした。
【考案の効果】
【００１７】
上述の様に、本考案の複合耕耘装置は、トラクタの油圧三点リンクヒッチに連結する方形フレ−ムの前部下方に、カルチベータを前進方向に対し直交かつ高低調節自在に設け、その後方に順次前部ディスクハローおよび後部ディスクハローを横設し、後部ディスクハローの後方に上下動を制限したケージローラを横設したので、カルチベータによる攪土作用、ディスクハローによる土壌の砕土混和作用、ケージローラによる土壌の均平鎮圧作用を、一工程で行い播種床を形成することができる。
【００１８】
そして、強度が大きなカルチベータ支杆の下端部に中耕爪を取付けたものにしたので、攪土深を大きくすることができ、圃場の水分浸透を良好にし、作物の生育によい結果をもたらすことができる。また、カルチベータのけん引抵抗に関しては、カルチベータ支杆の前方に前進方向に沿って回転円板コールタを設けたことにより、カルチベータ支杆前方の土壌に切れ目を入れ、けん引抵抗を減少することができる。
【００１９】
ディスクハローに関しては、ディスクハローのフレームに、ディスクの配設ピッチで取付けるディスク取付板に、長方形支柱を垂下に設け、その下端に取付けた軸受けにディスクを軸支した。したがって、アーバーボルトやディスクスプールを用いないので、隣接するディスク間のスペースが広くなり、土壌混和の良好な砕土状態を得ることができる。また、長方形支柱の前進方向に対する向きによってディスクに円板角を与えることができる。周知のように、ディスクは、円板角によって砕土深が変化するので、円板角の選択によって、好適な砕土深を得ることができる。
【００２０】
また、方形フレームの左縦桁の外側面に左前方ブラケット、左後方ブラケットを水平に突設し、右縦桁の外側面に右前方ブラケット、右後方ブラケットを水平に突設するとともに、左右の前方および後方のブラケットの横方向中心線を一線上に揃えたものにしたので、
左右のブラケットを介しディスクハローのフレ−ムを容易に方形フレームに横設することができる。また、方形フレームの左右内側面に前記左右のブラケットの位置に合せて、フレ−ム一時保持枠を設けたので、左右のブラケットからディスクハローのフレームを取り外し、取付け角度を変更し再び取付ける場合、フレームを一時的に保持することができるので、取付け角度の変更を容易に行うことができる。
【００２１】
トラクタの油圧三点リンクヒッチのロワーリンクに複合耕耘装置を連結する手段を、ロワーリンクにクロスシャフトを連結しておき、方形フレーム左右前端部の連結ブラケットに刻設したクロスシャフト連結溝穴に連結するものにした。したがって、軽量で取扱いが簡単なクロスシャフトをロワーリンクに連結することは、簡単に行うことができ、従来のように、トラクタを後退させヒッチピンにロワーリンク端末を位置合わせすると云う面倒を解消することができる。
【考案を実施するための最良の形態】
【００２２】
トラクタの油圧三点リンクヒッチに着脱自在に連結する方形フレームの左右前端部に連結ブラケットを突設し、この方形フレームの前部下方に前進方向に対し直交かつ高低調節可能にカルチベータを横設する。そして、このカルチベータの後方に順次後方に前記方形フレームの中間部を横断し、前進方向に対し直交および斜設可能に前部および後部のディスクハローを配設する。
【００２３】
また、前記方形フレームの両側中間部に左右対向に立設したプレートに前端部を枢着し、その前半直線部が方形フレームの後端部両側にそれぞれ左右対向に立設した上下動制限板の間を挿通し、後方にヘ字形アームを突設する。前記上下動制限板を貫通に横断し、前記左右のヘ字形アームの前半直線部の上面および下面と間隙を隔てて接するピンを設ける。そして、ヘ字形アームの後端末部に前記後部ディスクハローより広幅にしたケージローラを、前進方向に対し直交かつ水平に横設する。
【実施例】
【００２４】
次に、添付図面を参照し実施例を説明する。説明において、左右は複合耕耘装置を正面から見ての表示であり、Ｆは前進方向である。図１は本考案の複合耕耘装置の全体平面図、図２は同じく左側面図、図３は右側面図、図４は方形フレームの斜視図である。図１において、１は複合耕耘装置、２は方形フレームである。方形フレーム２は、左縦桁３と右縦桁４を左右に併設し、前端部に左連結ブラケット１０と右連結ブラケット１１を前方斜め下向きに突設する。左右の連結ブラケット１０、１１は同形であり、上縁面と下縁面を平行させた略菱形に形成する（図４参照）。連結ブラケット１０、１１における連結の意味は、トラクタの油圧三点リンクヒッチのロワーリンクＬＬに連結する意味である。
【００２５】
方形フレーム２は、高さ１２５mm、幅７５mm．厚さ３．５ｍｍの中空角形鋼を使用し、左右の縦桁３、４は、長さが２,０００ｍｍ、内側間隔が７５０ｍｍであり、左右の縦桁３、４の前端部から順次後方に、前部横桁５、中間部横桁６、後部横桁７を固設している、図１、図２において、８は、油圧三点リンクヒッチのトップリンクＴＬに連結するマストフレーム、９はトップリンクピンである。１２はクロスシャフトであり、ロワーリンクＬＬに両端部を連結しておいて、左右の前端連結ブラケット１０、１１に連結するものである。
【００２６】
１３および１５は、左縦桁３の中間部外側面にそれぞれ水平に突設した前方左ブラケットおよび後方左ブラケット、１４および１６は、右縦桁の中間部外側面にそれぞれ水平に突設した前方右ブラケットおよび後方右ブラケットであり、前部および後部ディスクハローフレーム２２および２３を方形フレーム２を横断し取付けるためのものである。
【００２７】
図１〜図３において、１７はカルチベータであり、方形フレーム２の前部下方に前進方向に対し直交にカルチベータフレーム２１を取付けるとともに、後述のように高低調節可能に設けている。１８は前部ディスクハロー、１９は後部ディスクハローであり、順次カルチベータ１７の後方に方形フレーム２を横断して配設する。カルチベータフレーム２１、前部ディスクハローフレーム２２、後部ディスクハローフレーム２３は、何れも中空角形鋼（１００ｍｍ角、厚さ３．５ｍｍ）を使用している。カルチベータフレーム２１と前部ディスクハローフレーム２２の中心前後間隔は７８０ｍｍ、前部ディスクハローフレーム２２と後部ディスクハローフレーム２３との中心前後間隔は８８０ｍｍである。
【００２８】
図１において、左右の縦桁３、４の中間部にそれぞれ左右対向にプレート２７と２８を立設し、方形フレーム２の左右後端部に、それぞれ３０、３１を左右対向に立設している。プレート２７、２８および上下動制限板３０、３１の左右対向間隔は、左側ヘ字形アーム３３および右側ヘ字形アーム３４が挿通する間隔である。
【００２９】
図２を参照し説明すると、左側ヘ字形アーム３３は、前半直線部をプレート２７、２８の間に挿入し前端部を連結ピン２９で枢着するとともに、上下動制限板３０と３１の間を挿通させ、下向き屈折部を後方に延設している。同様に、図３のように、右側ヘ字形アーム３４も前端部をプレート２７、２８の間に挿入し連結ピン２９で枢着し、前半直線部を上下動制限板３０、３１の間を挿通させ、下向き屈曲部を後方に延設している。上下動制限板３０、３１には、前記の前半直線部の上面および下面と間隙をおいて対向する上下のピン３２、３２（図２参照）を横向きに貫通させる符号省略のピン孔を前後列に設け、ヘ字形アーム３３、３４の上下動を制限するようになっている。前記のピン孔はピゥチが同一であるが、前列と後列のものが上下に偏位しており、上下動を細かく制限するようになっている。
【００３０】
２４は、ケージローラ２０のアッパーフレームであり、左右のヘ字形アーム３３、３４の後端末部に水平に固着したプレート５７、５７に、Ｕボルト・ナット５８を介し水平に取付けている。アッパーフレーム２４は、断面が四角形の中空角形鋼である。アッパーフレーム２４の両端部には、ケージローラ左軸受け板２５とケージローラ右軸受け板２６を直角に垂下している。５３および５４は、それぞれケージローラ左端円板およびケージローラ右端円板であり、円板中心を一致させ、前進方向に沿って左右に併設している。ケージローラ右軸受け左軸受け板２５とケージローラ右軸受け板２６の下端部に設けた軸受１７１（図２１参照）に、ケージローラ左端円板５３および右端円板５４の中心部に突設した図示省略の回転軸を軸支しておき、軸受１７１を左右の軸受け板２５、２６の間に挿入し、ケージローラ２０を構成している。
【００３１】
図１において、５５はケージローラ中間リングであり、左端および右端の円板５３および５４と同径にし、５枚を等間隔に併設し、前記の左端および右端の円板５３および５４との間に、複数本（実施例は９本）のケージローラロッド５６を右から左に斜め横向きに貫通させ固定している。ケージローラロッド５６は、接地回転時に土壌を右から左に移動させながら砕土するようになっている。５９は四角形ゴム板の均平板であり、左右のローラ軸受け板２５および２６の下端部に上下位置を調節可能に取付けた均平板取付け板１７４（図２１参照）から外方に適当な長さに突設し、耕耘継ぎ目を均すものである。ケージローラ２０は、長さを後部ディスクハロー１９の耕幅よりも長くしている。
【００３２】
次に、図４、図５、図６も参照し、カルチベータ１７を高低調節可能にする構成を説明すると、６０は上下面を開口した角筒、６１は角柱であり、角筒６０に下方から上下摺動自在に内嵌し、角筒６０と角柱６１を連通する高低調節ピン８０によって、角柱６１を角筒６０に対し上下位置を調節できるようになっている。図４に示す７９は、角筒６０の前面と後面の中心線上に連通に設けた高低調節ピン孔である。角柱６１には、図７に示すように、前面と後面の中心線上を貫通する複数の高低調節孔９５を等ピッチ（p＝５ｃｍ）に設けている。角筒６０の高低調節孔７９の上下ピッチは角柱６１の高低調節孔９５の上下ピッチの２倍、Ｐ＝１０ｃｍになっている。
【００３３】
角筒６０は長さが２５ｃｍ、図７の状態のとき、角柱６１は角筒６０から上方に２０ｃｍ突出し全長が５０ｃｍである。図７において、角柱６１の最上位置の高低調節孔９５が、角筒６０の最下位置の高低調節ピン８０の位置になったとき、角柱６１が角筒６０に対し３０cm下降する。すなわち、カルチベータ１７は、ピッチ５ｃｍで最大３０cmまで攪土深を調節できるようになっている。
【００３４】
図４、図５において、１２はクロスシャフトであり、左前端連結ブラケット１０と右前端連結ブラケット１１に両端部を連結するようになっている。図４における６２は、マストフレーム８を前部横桁５上に支持する支柱である。図４、図５において、左前端連結ブラケット１０は、左前端外側ブラケット１００と左前端内側ブラケット１０１を併設し（図９参照）、右前端連結ブラケット１１は右前端外側ブラケット１１７と右前端内側ブラケット１１８を併設している（図１１参照）。クロスシャフト１２は、両端部がそれぞれ左前端の外側および内側のブラケット１００と１０１との間、および右前端の外側および内側のブラケット１１７と１１８との間に挿入されるようになっている。図４の８７は、クロスシャフト１２外端部のロワーリンク連結軸、７８はパイプ軸、７７は輪付き止めピンである。
【００３５】
図６において、８１はカルチベータ取付け前金具、８２はカルチベータ取付け後金具であり、角柱６１の下底部に固着した角柱底板９３（図７参照）の前方および後方に同形に固着し、ボルト・ナット８３、８３によりカルチベータ取付け板９２を連結するようになっている。カルチベータ取付け板９２は、カルチベータフレーム２１に直交に固着している。９４は三角形のフランジであり、カルチベータ取付け前金具８１、カルチベータ後金具８２の側面に固着した補強片である。図８は、カルチベータの高低調節ピン８０の斜視図であり、９６は頭部フランジ、９７は引き手リング、９８は輪付き止めピン、９９は止めピン孔である。図５における８はマストフレーム、９０はトップリンクピン、９１は止めピンである。
【００３６】
次に、図９は図４の左前端連結ブラケットの拡大斜視図、図１０はクロスシャフト１２を左前端連結ブラケット１０に連結する作動を説明する斜視図、図１１は右前端連結ブラケット１１の拡大分解斜視図である。これらの図によって、左右の前端連結ブラケット１０、１１にクロスシャフト１２を連結する構成を説明する。図９、図１０において、前述のように左右に併設された左前端外側ブラケット１００と左前端内側ブラケット１０１の前端部に、閉塞上端部１０８と下部開口部を形成するクロスシャフト連結溝穴（以下、連結溝穴と略す）１０９を上下方向に刻設するとともに、下端部に下部前方拡開部１０６と下部後方拡開部１０７を備えたものにする。下部前方拡開部１０６と下部後方拡開部１０７は、ロワーリンクＬＬに両端部を連結したクロスシャフト１２を下方から上昇させ、連結溝穴１０９に連結するときのガイドである。
【００３７】
６３はクロスシャフト保持片であり、図９のように、前方突出三角形アーム１０４の上縁部１１２および下縁部１１３に、それぞれ後部連接直線部１１１および前部連接直線部１１０が接続し、後部連接直線部１１１の下部が前方に湾曲して突出し、前部連接直線部１１０の下方が前方に凹弧状に突出し、両者が前方で結合して凹弧状アーム部１０５になっている。
【００３８】
そして、クロスシャフト保持片６３は、前部連接直線部１１０と後部連接直線部１１１とが対向する部分を、図９に示す下向き連接部１０５Ａに形成し、凹弧状アーム部１０５を下向き連接部１０５Ａの下部に連接し、ピストル状に形成している。右前端連結ブラケット１１にも、図１１に示すように、、右前端外側ブラケット１１７および右前端内側ブラケット１１８に、閉塞上端部１０８、１２０およびクロスシャフト連結溝穴１０９、１２１を、左前端部連結ブラケット１０と同様に刻設している。クロスシャフト連結溝穴１２１の下端部に、下部前方拡開部１２２、下部後方拡開部１２３を、前述の図９に示す下部前方拡開部１０６、下部後方拡開部１０７と同様に形成している。
【００３９】
クロスシャフト保持片６３は、図９、図１０に示すように、前述した前部連接直線部１１０を連結溝穴１０９の後側の直線部に沿わせ、下向き連接部１０５Ａの中間部を貫通するボルト軸８４の先端部を、左前端外側ブラケット１００に螺着し、ボルト軸８４周りに回動自在に取付け（図１０中の矢印ａｂ参照）、さらに、ボルト軸８４に圧縮コイルスプリング８５、その端末に丸座金８６を外嵌し、圧縮スプリング８５の弾力で左前端外側ブラケット１００に弾接状態に取付けている。そして、クロスシャフト保持片６３は、圧縮コイルスプリング８５の弾力に抗し、手動で左前端外側ブラケット１００の外方に開くことができる。
【００４０】
図９の１０２は保持片固定孔、１０３は保持片固定突起であり、図９のように、凹弧状アーム１０５が連結溝穴１０９の下端部に位置したとき、保持片固定孔１０２に保持片固定突起１０３が嵌入し、クロスシャフト保持片６３が左前端外側ブラケット１００に対し固定されるようになっている。
【００４１】
図１１は、右前端連結ブラケット１１の拡大分解斜視図である。図中、６３は、図９で説明したのと同じクロスシャフト保持片である。１１５は、ボルト軸８４が貫通するボルト孔であり、右前端外側ブラケット１１７に設けたネジ孔１１６に、ボルト軸８４の先端ネジ部１１４を螺着させ、その貫通端末部にナット１１９（図９、図１０においても同じ）を螺着し、ボルト軸８４を右前端外側ブラケット１１７に固定している。左前端連結ブラケット１０と同様に右前端連結ブラケット１１においても、クロスシャフト保持片６３がボルト軸８４周りに回動自在に取付けられている。図中の８５および８６は、それぞれ前述した圧縮コイルスプリングおよび丸座金であり、１０２および１０３は、それぞれ保持片固定孔および保持片固定突起である。
【００４２】
図１２において、１２はトラクタのロワーリンクに連結するクロスシャフトである。図中、ＬＬはロワーリンク、１００は左前端外側ブラケット、１０１は左前端内側ブラケット、１１７は右側前端外側ブラケット、１１８は右前端内側ブラケットである。図１３も参照し、１２４はパイプ中間軸であり、外径４８．６ｍｍ、厚さ３．５ｍｍのガス管（Ａ）４０を使用している。パイプ中間軸１２４の両端部には、大径部８７Ａの基部をそれぞれ内嵌固着している。１２７は大径部８７Ａの溶着部である。
【００４３】
図１２における８９、８９は、突弧状ガイドであり、突弧面が左前端内側ブラケット１０１と右前端内側ブラケット１１８の外面に摺接するように、両側の大径部８７Ａの中間部に垂直に中心部を溶着している（図１３参照）。突弧状ガイド８９、８９は、ロワーリンクＬＬに両端部が連結されたクロスシャフト１２を、トラクタの油圧でロワーリンクＬＬとともに上昇させたとき、左右の前端連結ブラケット１０および１１に連結されるようにガイドするためのものである。
【００４４】
８７はロワーリンク連結軸であり、大径部８７Ａ先端の段部８８から先端部に、図１２に示すロワーリンクＬＬ端末のボール連結部７６に内嵌するように形成されている。ロワーリンク連結軸８７は、油圧三点リンクヒッチのＩＳＯ、ＪＩＳ等の規格に準じ、直径が最小２７．７９ｍｍ、最大２８ｍｍであり、図１２中のＮは、前記規格における下部ヒッチ点間隔８２５±１．５ｍｍである。Ｊは下部ヒッチボール連結部７６のボール幅４５ｍｍ（最大）である。
【００４５】
７８はパイプ軸であり、ロワーリンク連結軸８７の端末部に着脱自在に外嵌している。 ロワーリンク連結軸８７の端末部には、ピン孔１２５を設け、パイプ軸７８の端末部には、前記ピン孔１２５から先端部に長溝孔１２６を設けている。ピン孔１２５、長溝孔１２６には、輪付き止めピン７７を挿入し（図４参照）、端末パイプ軸７８を前端左連結ブラケット１０に対し抜け止めしている。右前端連結ブラケット１１に対しても右側のロワーリンク連結軸８７の端末部が同様に抜け止めされている。図１２におけるＨは、大径部８７Ａの段部８８とパイプ軸７８の内端面との寸法７０ｍｍであり、ロワーリンクのボール連結部７６が挿入できる寸法である。
【００４６】
図１４は、カルチベータ１７の中央から左半分の正面図であり、右半分は左半分と対称形である。図中、２１はカルチベータフレームであり、１００ｍｍ×１００ｍｍ角、厚さ３．５ｍｍの中空角形鋼で、長さ２,４４０ｍｍの棒状体に形成する。そして、前述したように方形フレーム２前端部の左右外側面に左右対向に固設した左右の角筒６０に、上下摺動自在に内嵌した角柱61の下端部底面を、カルチベータフレーム取付け板９２に結合し、前進方向に対し直交に設けたものである。カルチベータ取付け板９２は、カルチベータフレーム２１に直交に固着され、図15に示すように、カルチベータフレーム２１に前後等分に突出している。
【００４７】
図１４において、３８および３９は、それぞれ支杆取付け前部板および支杆取付け後部板であり、カルチベータフレーム２１を前後に挟み、上縁部と下縁部にクランプボルト４０を２本ずつ貫通させ、ナットで緊締している。３７は、支杆取付け後部板３９の背面中央部に垂直に固着した支杆取付け板である。３５はカルチベータ支杆であり、図１６のように、上端部を支杆取付け板３７に上下２本の支杆取付けボルト・ナット３５Ａで取付け、カルチベータフレームの後方に垂下に設けている。カルチベータ支杆３５は、前方突出に湾曲させた下端部に、中耕爪３６を２本の皿根角ボルト１３８を適当ピッチに貫通させ、ナットで固定している。カルチベータ支杆３５は、横方向の配設ピッチが４５０ｍｍである。また、図６のように、角柱６１が角筒６０に最も上方位置に固定されているとき、カルチベータフレーム２１の下面から中耕爪３６の先端までの寸法を５９０ｍｍにしている。
【００４８】
図１４、図１５において、４１はクランプ金具であり、回転円板コールタ４２をカルチベータフレーム２１に取付けるものである。クランプ金具４１は、後部が開放し前部と上部、下部がカルチべータフレム２１に接するように折り曲げられ、後部の開放部を上下に連通するボルト１３３の下端部にナッを螺着し、カルチベータフレーム２１に締付けて固定している。
【００４９】
図１６において、１２９は円板コールタブラケットであり、上端面をクランプ金具４１の下部底面に固着し、斜め前方へ垂直に突設した長方形板である。円板コールタブラケット１２９は、下縁部に円弧状溝孔１３９を刻設している。１３０は円板コールタアームであり、上端部を円板コールタブラケット１２９の正面視左側の上部に、ボルト１３１で枢着している。円板コールタアーム１３０を円板コールタブラケット１２９の正面視左側に取付けたのは、円板コールタ４２をカルチベータ支杆３５の縦方向中心線の延長上に位置させるためである。１３２は円板高低調節ボルトであり、円弧状溝孔１３９に嵌入し円板コールタアーム１３０に螺着している。図１４を参照し説明すると、１３４は円板コールタ回転軸であり、軸受け１３５に軸支され、１３６は回転円板コールタ４２の押えプレート、１３７は円板コールタ取付けボルト・ナットである。
【００５０】
次に  図１、図１７を参照し、前部ディスクハロー１８を説明する。図１７において、前述したように、左縦桁３の外側面に前方左ブラケット１３が水平に突設され、図１のように、右縦桁４の外側面には、前方右ブラケット１４が水平に突設されている。前部ディスクハローフレーム２２は、上面が前方左ブラケット１３と前方右ブラケット１４の下面に接して取付けられ、方形フレーム２を横断して設けられている。
【００５１】
前部ディスクハロー１８は、ディスクハローフレーム２２を、断面１０ｃｍ角の中空角形鋼で、長さ２,４９０mm.の長方形棒体に形成し、その下部に凹面を右方に向け直径５０．８ｃｍの花形ディスク１０枚をピッチ２６cmで横一線上に配設している。図１７は、前部ディスクハロー１８の左端部を示し、前部ディスクハローフレーム２２に、ディスク取付板４３を花形ディスク５０の配列ピッチ２６ｃｍの間隔で、ディスクハローフレーム２２の下面に当接し、１０個をそれぞれ２本のＵ形クランプボルト４９で取付け、ナットで固定している。
【００５２】
４４はスクレーパバー取付け板であり、図１では中央に１個、左右端末部にそれぞれ１個、計３個をディスクハローフレーム２２に、Ｕ形クランプボルト４９で取付け、その後端部にスクレーパバー４５をディスクハローフレーム２２と平行に取付ける（図１、図１９参照）。４７はスクレーパ固定板であり、スクレーパバー４５にスクレーパ４８を花形ディスク５０の凹面の後半部中央に先端部を接触させて取付けている。
【００５３】
図１７において、１４０はディスクハロー取付けＵ形枠であり、上端部に前部フランジ１４１、後部フランジ１４２をそれぞれ外方に突出している。ディスクハロー取付けＵ形枠１４０を下方からディスクハローフレーム２２に嵌めこみ、前部フランジ１４１、後部フランジ１４２を前方左ブラケット１３の下底面に接し、ディスクハロー取付けボルト１４４、１４５をディスクハロー取付けＵ形枠１４０と前方左ブラケット１３に貫通させナットで固定し、左縦桁３にディスクハローフレーム２２を固定している。１４３は硬質ゴムのパッキンで、ディスクハローフレーム２２の上面と前方左ブラケット１３の下面との間に設けるすべり止めである。図１において、前方右ブラケット１４にもディスクハロー取付けＵ形枠１４０で、ディスクハローフレーム２２を右縦桁１４に取付け固定している。
【００５４】
図１７において、６８は長方形鋼板に形成したディスク支柱であり、上端面をディスク取付板４３の裏面中央部に溶着し下方へ垂直に設けている。７０は、ディスク支柱６８の外側面に固着した支柱補強板である。１４６はディスク軸受けであり、ディスク支柱６８の下端部右側面にディスク支柱６８と直交に固定している。１５４はナットであり、ディスク支柱６８に軸受け１４６を固定している。
【００５５】
ディスク支柱６８をディスク取付板４３に上端面を溶着する際、図１９に示すように、ディスク支柱６８を前進方向に対し右向きに溶着している。すなわち、図１７、図１９に示すように、花形ディスク５０には前進方向Ｆに対し円板角αを与えている。実施例では、前部ディスクハロー１８を前進方向に対し直交に配設したとき、前進方向Ｆに対する円板角αを右向き１０度にしている。図１９における１６４は、前方左ブラケット１３に設けたディスクハロー取付角度調節孔であり、左列、右列に複数個を設けている。後方右ブラケット１６にも、角度調節孔を設けている。
【００５６】
次に、図１に示す後部ディスクハロー１９は、前部ディスクハロー１８と同じくディスクハローフレーム２３を１０ｃｍ角の中空角形鋼で長さ２,９４０ｍｍの長方形棒体に形成し、凹面を左方に向け直径５０．８ｃｍの完全円周ディスク５１を横一線上に、ピッチ２６ｃｍで１１枚を配設している。１１枚のうち右端のディスクは完全円周小径ディスク５２であり、完全円周ディスク５１より直径で３ｃｍ小さなディスクである。完全円周小径ディスク５２は直径を小さくすることにより、砕土時における土壌の放擲量を少なくすうためであるが、完全円周ディスク５１にしてもよい。
【００５７】
後部ディスクハロー１９の完全円周ディスク５１は、前部ディスクハロー１８の２枚の花形ディスク５０の略中間に位置させ、円板凹面を左方に向けて配設している。つまり、円板凹面が右方向きの花形ディスク５０で放擲した土壌を反対方向に放擲し、土壌混和が良好に行われるようにしている。後部ディスクハロー１９は、ディスク取付け板４３、スクレーパバー４６、スクレーパ固定板４７、スクレーパ４８、クランプUボルト４９、ディスク支柱６９（図３参照）は、前部ディスクハロー１８と同じ構成である。
【００５８】
図１８は、前部ディスクハロー１８におけるディスク軸受け１４６の縦断面図であり、ディスク支柱６８下端部の左側にディスク軸受け１４６を取付けている。後部ディスクハロー１９の場合は、ディスク支柱６９下端部の右側にディスク軸受け１４６を取付けるものである。また、図中、５０は前部ディスクハロ１８の花形ディスク、５１、５２は後部ディスクハロー１９の完全円周円板である。図中、１４７はベアリングケース、１４８、１４９はベアリングケースに内嵌しているベアリングである。１５０，１５１はスナップリングであり、外径がベアリングケース１４７の内径に嵌入し、内径がシャフト１５５に外嵌し、ベアリング１４９をベアリングケース１４７に対し左右の移動を止めている。１５２はダストプレートで、ディスク支柱６８、６９とスナップリング１５０、１５１との間に設けられている。  
【００５９】
１５３はスプリングワッシャ、１５４はナット（Ｍ３０）であり、ベアリング１４８、１４９に内嵌するシャフト１５５に螺着している。１５６はグリースニップルであり、シャフト１５５の中心部に穿設したグリース注入孔にグリースを注入するためのものである。１５７はシャフト１５５に刻設したネジ部であり、ディスク支柱６８又は６９の下端部に螺着している。５０は前述した前部ディスクハロー１８の花形ディスク、５１は後部ディスクハロー１９の完全円周ディスクである。
【００６０】
１５８は押え板であり、花形ディスク５０、完全円周ディスク５１の凹弧中心部に中心を合わせて各ディスクに設け、ディスク中心部の角孔を貫通する角シャフト１６０が貫通している。１５９は押え板１５８の外面に接する丸座金であり、角シャフト１６０に螺着するナット１６１の下面が接している。１６２は六角穴付止ネジであり、ナット１６１の緩み止めである。１６３は、角シャフト１６０をベアリングケース１４７中心部に固定する溶着部である。この構成によって前部ディスクハロー１８および後部ディスクハロー１９の各ディスクがシャフト１５５周りに回動できるようになっている。
【００６１】
図２０は、前部ディスクハロー１８および後部ディスクハロー１９を方形フレーム２に対し取付け角度を変更した一例を示す平面図である。前述した図１の場合は、前部ディスクハロー１８、後部ディスクハロー１９は、前進方向と直交に方形フレーム２に取付けられ、前部ディスクハロー１８は円板凹面が右向きに、後部ディスクハロー１９は円板凹面が左向きに配設され、前進方向に対する円板角が右向き１０度に設定されている。
【００６２】
前部ディスクハロー１８を左縦桁３、右縦桁４に対し取付け角度を変えるには、図２０に示す、前方左ブラケット１３に固定するための前方ボルト・ナット１４４と後方ボルト・ナット１４５を緩め、また前方右ブラケット１４に固定するための右前方ボルト・ナット１６５、右後方ボルト・ナット１６６を緩め、前部ディスクハロー１８を左右の縦桁３、４への取付け位置を変更し、前記の緩めたボルト・ナットを締付け、取付け角度を変更する。  
【００６３】
同様に、後部ディスクハロー１９を左縦桁３、右縦桁４に対し取付け角度を変えるには、後方左ブラケット１５に固定するための前方ボルト・ナット１６７と後方ボルト・ナット１６８を緩め、また後方右ブラケット１６に固定するための前方ボルト・ナット１６９と後方ボルト・ナット１７０を緩め、後部ディスクハロー１９を左右の縦桁３、４への取付け位置を変更する。
【００６４】
図２０においては、前部ディスクハロー１８のディスクハローフレーム２２の長手方向中心線が、最初は方形フレームに直交する水平線ＨＬの状態であり、後部ディスクハロー１９のディスクハローフレーム２３の長手方向中心線が、最初は方形フレームに直交する水平線ＨＬの状態である。
【００６５】
上述の状態からディスクハローフレーム２２を長手方向中心線Ｃ−Ｃのように前記ＨＬ水平線に対し前方右ブラケット１４を中心に右回りに角度γだけ位置を変え、前方左ブラケット１３に前記の前方ボルト・ナット１４４、後方ボルト・ナット１４５の取付け位置を変えて固定し、同じく緩めた前方右ブラケット１４の前方ボルト・ナット１６５および後方ボルト・ナット１６６を緊締する。前方右ブラケット１４に対しては、ディスクハローフレーム２２の位置移動が僅かなので、前述で緩めた前方ボルト・ナット１６５および後方ボルト・ナット１６６を締め直せばよい。
【００６６】
同様に、後部ディスクハロー１９のディスクハローフレーム２３を長手方向中心線Ｃ１−Ｃ１のように、前記水平線ＨＬに対し後方左ブラケット１５を中心に左回りに角度γ１だけ位置を変え、後方右ブラケット１６の前方ボルト・ナット１６９、後方ボルト・ナット１７０の位置を変えて緊締し、後方左ブラケット１５の前方ボルト・ナット１６７、後方ボルト・ナット１６８を締め直すのである。
【００６７】
前述したように、ディスクハローフレームの取付け角度変更前は、前部ディスクハロー１８は花形ディスク５０が前進方向に対し凹面が右向きに円板角が１０度、同じく後部ディスクハロー１９は完全円周ディスク５１が前進方向に対し凹面が左向きに円板角１０度である。ディスクハローフレームの取付け角度変更後は、前部ディスクハロー１８は水平線ＨＬに対し右回りに角度γだけ変位させている。例えば、γが５度の場合、花形ディスク５０は凹面直径線ａ−ｂが左向きに位置が５度だけ変位し、最初の円板角１０度から５度変位して円板角βが５度になる。すなわち、ディスクの円板角を減少させることができる。
【００６８】
同様に、後部ディスクハロー１９の場合は、後部ディスクハローフレーム２３が水平線ＨＬに対し後方左ブラケット１５を中心に角度γ１だけ左周りに角度が変化している。それによって、完全円周ディスク５０は右向きに変位するので、角度γ１を５度とすれば、最初１０度であった円板角が５度増加しβ１が１５度になる。以上に説明したように、
本考案の複合耕耘装置は、以上のようにしてディスの円板角の増減ができるのである。
【００６９】
以上に説明したように、円板角の変更にはディスクハローフレーム２２，２３を左右の縦桁３、４に対し緩めることが必要である。本考案は、ディスクハローフレーム２２、２３を縦桁３、４に対し緩める際に、ディスクハローフレーム２２、２３が落下することを止める手段を講じ、取付け角度の変更を容易にしている。図２０において、左縦桁３の内側に前部ディスクハロー左一時保持枠６４、後部ディスクハロー左一時保持枠６５を設け、また右縦桁４の内側に前部ディスクハロー右一時保持枠６６、後部ディスクハロー右一時保持枠６７を設けている。
【００７０】
前部ディスクハロー左一時保持枠６４、後部ディスクハロー左一時保持枠６５は図２にも示し、前部ディスクハロー右一時保持枠６６、後部ディスクハロー一時保持枠６７は図３にも示している。これらは、各ディスクハローフレーム２２，２３を下方から上方に包み込む側面視Ｕ形の形態に形成している。
【００７１】
上述の一時保持枠の設置に関し、図４において、方形フレーム２の内側に前部ディスクハロー左一時保持枠６４を前方左ブラケット１３の左側に設けるように、ブラケット７１、７２を左縦桁３の内側面に突設し、前部ディスクハロー左一時保持枠６４をブラケット７１、７２にボルト・ナット７５で取付けている。後部ディスクハロー左一時保持枠６５は、後方左ブラケット１５と同じ位置の左縦桁３の内側面にブラケット７１、７２を突設し、同様にボルト・ナット７５で取付けている。
【００７２】
前部ディスクハロー右一時保持枠６６は、右縦桁４の右前方ブラケット１４と同じ位置の右縦桁４の内側に突設したブラケット７３、７４に、ボルト・ナット７５で取付けている。同様に、後部ディスクハロー右一時保持枠６７は、右後方ブラケット１６と同じ位置の右縦桁４の内側に突設したブラケット７３、７４にボルト・ナット７５で取付けている。
【００７３】
次に、図２１はケージローラ２０の右端要部の斜視図であり、断面正方形パイプ製のアッパーフレーム２４の右端部にケージローラ右軸受板２６が下方へ垂直に固設され、ケージローラ右端円板５４の中心部に突設した図示省略の回転軸が右軸受板２６に取り付けられた軸受け１７１に軸支されている。ケージローラ右端円板５４は、外周縁部に等ピッチに９個のケージローラロッド５６の取付孔が設けられ、図１に示すケージローラ左端円板５３は、ケージローラ右端円板５４と同径であり、外周縁部に右端円板５４と同心円の円周縁部に９個のケージローラロッド５６の取付孔を等ピッチに設けている。
【００７４】
ケージローラロッド５６は直径１８ｍｍの丸鋼棒であり、左、右端の円板５３と５４の外周縁部に等ピッチに設けたケージローラロッド５６の取付孔に、１ピッチ位相をずらし、右から左に中間リング５５を貫通させ、端末部をそれぞれ左、右端の円板５３と５４に溶着１７２している。１７３は、軸受け取付けボルト・ナットである。１７４は均平板取付け板であり、後部の軸受け取付けボルト・ナット１７３を共用し、ケージローラ右軸受板２６の後縁部に取付けている。１７５は、ボルト・ナット１７３が嵌入している縦溝穴であり、後部の軸受け取付けボルト・ナット１７３を緩めると、均平板取付け板１７４の高低を調節することができる。
【００７５】
１７６は均平板取付け前部プレートであり、均平板取付け板１７４の下端部から右方に直角に突設し、１７７は均平板取付け後部プレートであり、均平板取付け板１７４の後端面に固着し直角に右方に突設し、均平板５９を均平板取付け前部プレート１７６と均平板取付け後部プレート１７７で挟み右方へ約２５ｃｍ突設している。１７８は、均平板取付用のボルト・ナットである。１７９は、ケージローラ２０に後隋するケージローラを連結するために、ケージローラ右軸受け板２６に設けたボルト孔である。
【産業上の利用可能性】
【００７６】
本考案の複合耕耘装置は、前列に配設するカルチベータを支杆の前方に回転円板コールタを設け、高低調節可能にしたことにより、けん引抵抗の増大を抑え攪土深を大きくできるので、圃場の水分浸透をよくし、作物生育に良い効果をもたらすことができる。カルチベータの後方に順次配設する前部および後部のディスクハローは、ディスク個々を軸受けに軸支する構成にしたので、ディスク間のスペースが広くなり、砕土混和を良好に行うことができる。また、後部ディスクハローの後方に横設するケージローラを、後部ディスクハローより広幅にしたので、前、後部部のディスクハローにより砕土混和された土壌を完全に均平鎮圧することができる。したがって、一工程で播種床を形成することができるので、営農上における利用性が高い。とくに、前年、秋耕しを行った圃場では良好な播種床形成に利用性が大きい。
【図面の簡単な説明】
【００７７】
【図１】本考案の複合耕耘装置の全体平面図である。
【図２】同じく左側面図である。
【図３】同じく右側面図である。
【図４】同じく方形フレ−ムの斜視図である。
【図５】トラクタへの連結部の要部平面図である。
【図６】図５の一部縦断の要部右側面図である。
【図７】図６Ｂ−Ｂ線矢視の縦断面図である。
【図８】カルチベータの高低調節ピンの斜視図である。
【図９】図４の左前端連結ブラケットの拡大斜視図である。
【図１０】クロスシャフト連結時の作動を説明する左前端連結ブラケットの斜視図である。
【図１１】右前端連結ブラケットの拡大分解斜視図である。
【図１２】トラクタのロワーリンクに連結するクロスシャフトの平面図である。
【図１３】両端部品を分離した一部破断のクロスシャフトの平面図である。
【図１４】カルチベータの中央から左半分の正面図である。
【図１５】同じく平面図である。
【図１６】Ａ−Ａ線矢視の縦断面図である。
【図１７】前部ディスクハロー左端要部の前方斜視図である。
【図１８】ディスク軸受の縦断面図である。
【図１９】前部ディスクハローの左端部を一部破断した平面図である。
【図２０】前部と後部のディスクハローの取付け角度を変更した一例を示す平面図である。。
【図２１】ケージローラの右端要部の斜視図である。
【図２２】従来の複合作業機の一例を示す平面図である。
【図２３】同じく左側面図である。
【符号の説明】
【００７８】
１        複合耕耘装置      
２              方形フレーム      
３               左縦桁      
４              右縦桁      
８              マストフレーム
１０              左前端連結ブラケット
１１              右前端連結ブラケット
１２           クロスシャフト
１３              前方左ブラケット    
１４              前方右ブラケット
１５              後方左ブラケット    
１６              後方右ブラケット    
１７              カルチベータ  
１８              前部ディスクハロー
１９              後部ディスクハロー
２０              ケージローラ  
２１              カルチベータフレーム  
２２              前部ディスクハローフレーム  
２３        後部ディスクハローフレーム
２７              プレート  
２８              プレート    
３０              上下動制限板
３１        上下動制限板
３２              ピン
３３              左ヘ字形アーム
３４              右ヘ字形アーム
３５              カルチベータ支杆  
３６              中耕爪  
４２              回転円板コールタ
４３              ディスク取付け板
４４              スクレーパバー取付け板  
４５              スクレーパバー  
４６              スクレーパバー  
４８              スクレーパ
４９              Ｕ形クランプボルト・ナット
５０        花形ディスク
５１        完全円周ディスク
６０              角筒
６１              角柱       
６３              クロスシャフト保持片
６４              前部ディスクハロー左一時保持枠
６５              後部ディスクハロー左一時保持枠
６６             前部ディスクハロー右一時保持枠
６７        後部ディスクハロー右一時保持枠
６８              ディスク支柱
６９          ディスク支柱
７１            ブラケット
７２            ブラケット
７３        ブラケット
７４        ブラケット
７６        ボール連結部
７８        パイプ軸
８０        高低調節ピン        
８４        ボルト軸
８５        圧縮コイルスプリング
８７        ロワーリンク連桔軸
８７Ａ           大径部
８８        段部
８９        突弧状ガイド
１００        左前端外側ブラケット
１０１        左前端内側ブラケット
１０２        保持片固定孔
１０３        保持片固定突起
１０４        前方突出三角形アーム
１０５        凹弧状アーム
１０５Ａ      下向き連接部
１０６        下部前方拡開部
１０７        下部後方拡開部
１０８        閉塞上端部
１０９        クロスシャフト連結溝穴
１２４        パイプ中間軸
１４６        ディスク軸受
Ｆ               前進方向
α            円板角
ＴＬ      トップリンク
ＬＬ      ロワーリンク
【図１】
0003129872.tif 000003
【図２】
0003129872.tif 000004
【図３】
0003129872.tif 000005
【図４】
0003129872.tif 000006
【図５】
0003129872.tif 000007
【図６】
0003129872.tif 000008
【図７】
0003129872.tif 000009
【図８】
0003129872.tif 000010
【図９】
0003129872.tif 000011
【図１０】
0003129872.tif 000012
【図１１】
0003129872.tif 000013
【図１２】
0003129872.tif 000014
【図１３】
0003129872.tif 000015
【図１４】
0003129872.tif 000016
【図１５】
0003129872.tif 000017
【図１６】
0003129872.tif 000018
【図１７】
0003129872.tif 000019
【図１８】
0003129872.tif 000020
【図１９】
0003129872.tif 000021
【図２０】
0003129872.tif 000022
【図２１】
0003129872.tif 000023
【図２２】
0003129872.tif 000024
【図２３】
0003129872.tif 000025